(57)【要約】【課題】動画共有サーバにアクセスして動画を視聴する場合に、入力操作を簡便にして検索を容易にし、目的の動画を探しやすくすると共に、他の作業をしながらでも視聴することができるようにした動画再生コントローラーを提供する。【解決手段】動画再生コントローラー１０は、インターネット２１上に配されている動画共有サーバ２０にアクセス可能に形成されている。動画再生コントローラーは、予め設定登録した複数のキーワードからなるキーワード群を有し、当該キーワードは所定のジャンルごとにカテゴリ分けされている。検索手段１２は、キーワードにしたがって動画共有サーバ内の動画を検索し、検索した動画がキーワード及びキーワードの属するジャンルに合致しているか否かが照合手段１３で照合検証される。また、キーワードをジャンルごとにカテゴリ分けしたインデックス画面をモニタ画面１６に表示させることで入力操作を簡便にして検索を容易にした。【選択図】図１
2017016493.tif 000002
【特許請求の範囲】
【請求項１】
インターネットへの接続機能を有するテレビ受像機、パソコン、タブレット型端末装置、スマートホン又は携帯電話或いはこれらに類する端末装置類へインストールされて、
前記インターネット上に配されている動画共有サーバに記録保管されている動画を再生表示するとき、
当該再生表示に係る動作をコントロールする動画再生コントローラーであって、
当該動画再生コントローラーは、
前記動画共有サーバにアクセス可能なアクセス手段と、
予め設定登録した複数個のキーワードからなるキーワード群を有する検索テーブルを有し、当該検索テーブル内の前記キーワードにしたがって前記動画共有サーバ内に記録保管されている前記動画を検索する検索手段と、
当該検索手段で検索した動画に紐付けされている動画情報と、前記キーワード及び当該キーワードが属するジャンルを比較検証する照合テーブルを有し、当該照合テーブル上で前記動画情報と前記キーワード及び前記ジャンルが合致しているか否かを照合する照合手段とを有し、
前記動画共有サーバ内を前記検索テーブルから読み出した前記キーワードにしたがって検索したとき、
当該キーワードが含まれている前記動画に係る前記動画情報と、前記キーワード及び前記ジャンルを前記照合テーブル上で照合して、
前記動画情報と前記キーワード及び前記ジャンルが合致している場合には、前記動画を再生表示するために前記動画共有サーバへのアクセスに用いる動画パスを前記端末装置類に設けた記録媒体へ格納し、
前記動画情報と前記キーワード及び前記ジャンルが合致していない場合には、前記動画パスを取得しないようにして、
前記キーワード及び前記ジャンルに合致した特定の前記動画のみを、前記動画パスを介して前記動画共有サーバから前記端末装置類へ配信させるようにしたことを特徴とする動画再生コントローラー。
【請求項２】
前記キーワード群に含まれている前記キーワードを前記ジャンルにしたがって所定のカテゴリごとに分類し、当該カテゴリごとに前記記録媒体内にフォルダを作成して、当該フォルダに前記動画パスを前記動画情報に係る前記キーワードにしたがって振り分ける分類手段と、
前記カテゴリに基づいて検索用のインデックス画面を形成し、当該インデックス画面を前記端末装置類のモニタ画面へ表示させる表示手段とを設けたことを特徴とする請求項１に記載の動画再生コントローラー。
【請求項３】
前記カテゴリ内に含まれる前記キーワード群を、前記カテゴリ内のカテゴリ単位で更新可能にしたことを特徴とする請求項１若しくは請求項２に記載の動画再生コントローラー。
【請求項４】
ハードディスクドライブ、フラッシュメモリ、又は光学ディスク或いはこれらに類する外部記憶媒体類に、前記キーワード群を格納して、
前記端末装置類にインストール可能にしたことを特徴とする請求項１乃至請求項３の何れかに記載の動画再生コントローラー
【請求項５】
前記キーワード群を、電気通信回線を通じて前記端末装置類にインストール可能にしたことを特徴とする請求項１乃至請求項３の何れかに記載の動画再生コントローラー。
【発明の詳細な説明】
【技術分野】
【０００１】
本発明は、インターネット上の動画共有サーバに記録保管されている動画を、インターネットへの接続機能を有するテレビ受像機、パソコン、タブレット型端末装置、スマートホン又は携帯電話或いはこれらに類する端末装置類のモニタ画面上で再生表示するとき、当該再生表示をコントロールする動画再生コントローラーに関するものである。
【背景技術】
【０００２】
近年、テレビ受像機は、地上デジタル放送又は衛星放送を受信可能なものだけでなく、インターネットに接続可能に形成されているものがある。これにより、当該テレビ受像機は、当該インターネット上に配されている、たとえばＹｏｕＴｕｂｅ（登録商標）のような動画共有サーバにアクセスすることができる。テレビ受像機のユーザが動画共有サーバに記録保管されている動画のうち、視聴を所望する動画を指定すると、テレビ受像機から動画共有サーバに対して当該動画の配信要求が送信される。そして、当該配信要求に応答して動画共有サーバはテレビ受像機に対して動画を配信するように形成されている。これによって、テレビ受像機のユーザは、通常のテレビ放送のような放送時間に縛られることなく、好きな時間に動画を視聴することができる。
【先行技術文献】
【特許文献】
【０００３】
【特許文献１】引用なし
【発明の概要】
【発明が解決しようとする課題】
【０００４】
上記の動画共有サーバには、非常に大量の動画が記録保管されている。そのため、ユーザが視聴を所望する動画を得るには、当該動画共有サーバが有するウェブサイト上で所定のキーワードを入力して検索する方法が一般的である。
当該キーワードの入力について、上記のテレビ受像機の場合、たとえば、文字・記号が割り当てられたリモコンのテンキーや、また別途購入したオプション設定されているキーボード等の入力装置を使わなければならない。そのため、その入力作業には非常に手間がかかり、オプション品を購入した場合には余分な出費がかかってしまう。
また、テレビ受像機で通常放映される放送番組は、他の作業をしながらでも受動的に視聴することができる。一方、動画共有サーバに記録保管されている動画を視聴するためには、キーワードを入力して検索し、目的の動画にたどり着くまで新たなキーワードを追加したりして絞り込んでいくといったような、いわば能動的な視聴が求められる。このような視聴方法は、他に作業をしながら放送番組を視聴する、いわゆる「ながら見」をする場合には、甚だ煩わしい。
【０００５】
したがって、本発明が解決しようとする課題は、動画共有サーバにアクセスして動画を視聴する場合に、入力操作を簡便にして検索を容易にし、目的の動画を探しやすくすると共に、他の作業をしながらでも視聴することができるようにした動画再生コントローラーを提供することである。
【課題を解決するための手段】
【０００６】
請求項１に記載の動画再生コントローラーは、インターネットへの接続機能を有するテレビ受像機、パソコン、タブレット型端末装置、スマートホン又は携帯電話或いはこれらに類する端末装置類へインストールされて、
前記インターネット上に配されている動画共有サーバに記録保管されている動画を再生表示するとき、
当該再生表示に係る動作をコントロールする動画再生コントローラーであって、
当該動画再生コントローラーは、
前記動画共有サーバにアクセス可能なアクセス手段と、
予め設定登録した複数個のキーワードからなるキーワード群を有する検索テーブルを有し、当該検索テーブル内の前記キーワードにしたがって前記動画共有サーバ内に記録保管されている前記動画を検索する検索手段と、
当該検索手段で検索した動画に紐付けされている動画情報と、前記キーワード及び当該キーワードが属するジャンルを比較検証する照合テーブルを有し、当該照合テーブル上で前記動画情報と前記キーワード及び前記ジャンルが合致しているか否かを照合する照合手段とを有し、
前記動画共有サーバ内を前記検索テーブルから読み出した前記キーワードにしたがって検索したとき、
当該キーワードが含まれている前記動画に係る前記動画情報と、前記キーワード及び前記ジャンルを前記照合テーブル上で照合して、
前記動画情報と前記キーワード及び前記ジャンルが合致している場合には、前記動画を再生表示するために前記動画共有サーバへのアクセスに用いる動画パスを前記端末装置類に設けた記録媒体へ格納し、
前記動画情報と前記キーワード及び前記ジャンルが合致していない場合には、前記動画パスを取得しないようにして、
前記キーワード及び前記ジャンルに合致した特定の前記動画のみを、前記動画パスを介して前記動画共有サーバから前記端末装置類へ配信させるようにしたことを特徴とする。
【０００７】
請求項２に記載の動画再生コントローラーは、請求項１に記載の発明において、前記キーワード群に含まれている前記キーワードを前記ジャンルにしたがって所定のカテゴリごとに分類し、当該カテゴリごとに前記記録媒体内にフォルダを作成して、当該フォルダに前記動画パスを前記動画情報に係る前記キーワードにしたがって振り分ける分類手段と、
前記カテゴリに基づいて検索用のインデックス画面を形成し、当該インデックス画面を前記端末装置類のモニタ画面へ表示させる表示手段とを設けたことを特徴とする。
【０００８】
請求項３に記載の動画再生コントローラーは、請求項１若しくは請求項２に記載の発明において、前記カテゴリ内に含まれる前記キーワード群を、前記カテゴリ内のカテゴリ単位で更新可能にしたことを特徴とする。
【０００９】
請求項４に記載の動画再生コントローラーは、請求項１乃至請求項３の何れかに記載の発明において、ハードディスクドライブ、フラッシュメモリ、又は光学ディスク或いはこれらに類する外部記憶媒体類に、前記キーワード群を格納して、
前記端末装置類にインストール可能にしたことを特徴とする。
【００１０】
請求項５に記載の動画再生コントローラーは、請求項１乃至請求項３の何れかに記載の発明において、前記キーワード群を、電気通信回線を通じて前記端末装置類にインストール可能にしたことを特徴とする。
【発明の効果】
【００１１】
本発明の動画再生コントローラーによれば、予め設定登録したキーワードにしたがって動画共有サーバに記録保管されている動画を検索するようにした。これにより、端末装置類のユーザは、キーワードを入力する手間を省くことができる。そのため、入力操作を簡便にすることができる。
そして、登録されたキーワードにしたがって動画共有サーバ上の動画は前もって検索されているので、たとえば、ユーザがキーボード等の入力装置から当該キーワードをテキスト入力しなくても、当該ユーザがリモコンで所定のキーワードを指定すればよい。これによって、ユーザは目的の動画を容易に探すことができ、ユーザの使用する端末装置類は、当該キーワードに関連する動画の配信を動画共有サーバから受けることができる。
また、複数のキーワードからなるキーワード群を、キーワードが属するジャンルごとに所定のカテゴリへ分類するようにした。これによって、カテゴリごとに動画パスを保管することができる。当該カテゴリのうち、一のカテゴリを指定して、再生表示を行うことにより、当該カテゴリに含まれる所定のキーワードについて同ジャンルの関連動画を容易に連続視聴することができる。これにより、他の作業をしながらでも視聴することができる。
【００１２】
さらに、本発明の動画再生コントローラーによれば、端末装置類のモニタ画面上へカテゴリに基づくインデックス画面を表示するようにした。これにより、たとえば、ユーザがキーボード等の入力装置から当該キーワードをテキスト入力しなくても、当該ユーザがリモコンで所定のキーワードをインデックス画面上で指定すればよい。これによって、ユーザは目的の動画を容易に探すことができ、ユーザの使用する端末装置類は、当該キーワードに関連する動画の配信を動画共有サーバから受けることができる。
【００１３】
さらにまた、本発明の動画再生コントローラーによれば、キーワードをキーワード群ごと、カテゴリ単位で更新可能にすると共に、更新するキーワード群を外部記憶媒体類又はオンラインで提供するようにした。これによって、キーワードを固定化することなく、世間の流行や話題に対して検索結果を柔軟に対応させることができる。
【図面の簡単な説明】
【００１４】
【図１】本実施例に係る動画再生コントローラーの構成の概略を示すブロック図である。
【図２】本実施例に係る動画再生コントローラーによって、端末装置類のモニタ画面に表示される大分類目次画面に係る説明図である。
【図３】本実施例に係る動画再生コントローラーによって、端末装置類のモニタ画面に表示される中分類目次画面に係る説明図である。
【図４】本実施例に係る動画再生コントローラーによって、端末装置類のモニタ画面に表示される小分類目次画面に係る説明図である。
【実施例１】
【００１５】
本発明の動画再生コントローラーに係る実施例を添付した図面にしたがって説明する。図１は、本実施例に係る動画再生コントローラーの構成の概略を示すブロック図である。
【００１６】
動画再生コントローラー１０は、インターネット２１への接続機能を有するテレビ受像機、パソコン、タブレット型端末装置、スマートホン又は携帯電話或いはこれらに類する端末装置類１７にインストールして使用するように、ソフトウェアとして提供される。当該ソフトウェアは、磁気又は光ディスク、フラッシュメモリ、メモリカード、ＵＳＢメモリ等に格納されて提供されるほか、インターネットを介するダウンロードによって提供されるように形成されている。これにより、本実施例に係る動画再生コントローラー１０を端末装置類１７へ容易にインストールすることができる。なお、ソフトウェアで提供される形態に限定されることなく、たとえば、本実施例に係る動画再生コントローラー１０をパソコン等の端末装置用グラフィックカード、又はテレビ受像機の映像エンジンのようなハードウェアへ予めインストールして提供するようにしても良い。
【００１７】
動画再生コントローラー１０は、図１に示すように、アクセス手段１１と、検索手段１２と、照合手段１３と、分類手段１４と、表示手段１５とを有している。
アクセス手段１１は、インターネット２１上に配されている動画共有サーバ２０へアクセス可能に形成されている。動画共有サーバ２０は、不特定多数のユーザがアクセス可能なサーバであって、当該不特定多数のユーザが動画をアップロードすることができるように形成され、また当該不特定多数のユーザがアップロードされた動画をストリーミング配信で視聴し、又はダウンロードできるように形成されている。動画共有サーバ２０は、たとえばＹｏｕＴｕｂｅ（登録商標）が広く知られている。
アクセス手段１１には、予め少なくとも一つ、好ましくは二以上の動画共有サーバ２０のＵＲＬアドレスが登録されている。これにより、端末装置類のユーザが自ら動画共有サーバ２０のＵＲＬを入力したり、当該動画共有サーバ２０を検索してインターネット２１上で探さなくても、自動で動画共有サーバ２０へアクセスさせることができる。また、複数の動画共有サーバ２０へアクセス可能にしたことによって、一の動画共有サーバ２０内には記録保管されていない動画を、他の動画共有サーバ２０から配信させることができる。
【００１８】
検索手段１２は、検索テーブル１２ａを有している。当該検索テーブル１２ａ上には、予め設定登録した複数のキーワードからなるキーワード群が更新可能に格納されている。キーワードは、たとえば、歌の題名、歌詞の一部、歌手名、作詞家又は作曲家の名前、アカペラ、独唱又はギターソロといった演奏形態といったような、従来の動画共有サーバ２０が有するウェブサイト上で使用される一般的な検索語句である。また、検索テーブル１２ａ上でキーワード群は、たとえば、「音楽」、「映画」といったような所定のジャンルごとに分けられている。
これにより、ユーザによるキーワードの入力作業を省くことができるので、検索速度を上げることができる。
また、当該キーワードを更新可能にすることによって、キーワード設定の自由度を上げることができる。たとえば、インターネット２１上で注目されているキーワードをいち早く反映させるようにしたり、動画共有サーバ２０内で検索に使用されているキーワードをランキング順に反映させたりと柔軟にキーワードを入れ替える一方で、特定の企業のコマーシャルに係るキーワードを必ず入れるようして、キーワードを固定化させたりと、使用状況にあわせてキーワードを設定登録することができる。
そして、検索手段１２は、検索テーブル１２ａ上のキーワードにしたがって、動画共有サーバ２０内を検索する。その結果、当該キーワードが含まれている動画に係る動画情報が収集される。動画そのものではなくて、動画情報を収集することにより、検索速度を上げることができる。本実施例の動画情報とは、動画共有サーバ２０へ動画をアップロードする際に、検索用に紐付けされる動画のタイトル、タグ、あらすじ、動画の作者、アップロードしたユーザ名等の情報を言う。
【００１９】
照合手段１３は、照合テーブル１３ａを有している。当該照合テーブル１３ａは、検索手段１２で収集された動画情報とキーワード及び当該キーワードが属するジャンルを照合するように形成されている。この照合の結果、照合手段１３は、動画情報に基づく動画が、キーワード及びジャンルによって意図される動画に合致するかどうか検証するように形成されている。
動画情報とキーワード及びジャンルが合致している場合には、当該動画情報に基づく動画を動画共有サーバ２０からストリーミング配信させたり、ダウンロードするため、当該動画情報に係る動画パス、たとえば動画共有サーバ内で記録保管されている動画のアドレス、ＵＲＬといったものが、フォルダに格納される。当該フォルダは、動画再生コントローラー１０がインストールされた端末装置類１７に設けられた記憶媒体又は、動画再生コントローラー１０を端末装置類１７へインストールする際に使用したＵＳＢメモリ等の外部記憶媒体内に形成されている。
これによって、ユーザが所定のキーワードを指定したとき、動画再生コントローラー１０は、当該キーワードに対応する動画を即時再生することができる。また、動画そのものではなくて、動画パスを記録しておくようにしたことで、記録容量を抑えることができ、またキーワード群に対応して複数の動画を予めダウンロードするといったことによるトラフィック障害を防止することができる。
一方、動画情報とキーワード及びジャンルが合致していない場合には、動画パスの取得は行われず、動画のストリーミング配信、又はダウンロードはなされない。
当該比較検証の結果、たとえば、「音楽」ジャンルにおいてキーワード「ロック」に基づいて検索されたときに、検索テーブル上に収集された音楽の「ロック」又は「ロックンロール」に関連する動画情報が照合テーブル１３上で残され、それ以外のたとえば「ロッククライミング」に係る動画情報、「ロックアイス」に係る動画情報、当該「ロックアイス」を使用したお酒の飲み方に係る動画情報といった音楽ジャンルとは無関係であって「ロック」を含む動画情報は照合テーブル１３ａ上からは排除される。
これによって、所定のキーワード及びジャンルに合致した特定の動画のみを収集することができ、それ以外の動画の収集は行われない。そのため、キーワードとジャンルを指定することによって、特定の動画以外を視聴できないようにする視聴制限的又はフィルター的な使い方ができる。したがって、副次的な仕様ではあるが、成人指定されるような動画に含まれているキーワードを予め除外し、又は登録を禁止しておくことによって、未成年に成人指定の動画を視聴させないペアレンタルロックとしても使用することができる。
【００２０】
分類手段１４は、検索テーブル１２ａ上でジャンルごとに分けられているキーワード群を、当該ジャンルに対応した、たとえば映画、音楽といった所定のカテゴリごとに分類するように形成されている。さらに、分類手段１４は、照合テーブル１３ａ上で絞り込んで記憶媒体に格納した動画パスを、当該カテゴリごとに当該記憶媒体内にフォルダを形成して振り分けるように形成されている。これにより、収集した動画パスを整理することができるので、ユーザに対して目的の動画を見つけやすくさせることができる。
また、カテゴリは、階層的に形成されている。すなわち、まず、「映画」、「音楽」といったように大雑把なジャンル分けに基づく大分類が形成されている。
次に、当該大分類内では、キーワードに応じて中分類が形成されている。当該中分類は、たとえば「映画」ジャンルにおいて、キーワードにしたがって、「アクション」、「冒険」、「アニメーション」、「伝記」、「コメディ」、「クライム」、「ドキュメンタリー」、「ドラマ・ファミリー」、「ファンタジー」、「フィルムノワール」、「歴史」、「ホラー」、「音楽・ミュージカル」、「ミステリー」、「ロマンス」、「ＳＦ」、「ショート・ショート」、「スポーツ」、「スリラー」、「戦争」、「西部劇・時代劇」「成人」といったような大まかな特徴ごとに分けられている。
そして、当該中分類内では、キーワードに基づいて小分類が形成されている。当該小分類は、たとえば、「アクション」の中で、「ポリス・アクション」、「ミリタリー・アクション」、「ライド・アクション」、「エスケープ・アクション」、「ＳＦ・アクション」、「クライム・アクション」、「カンフー・アクション」、「アドベンチャー・アクション」、「チャンバラ・アクション」、「ガン・アクション」といったようにアクションというジャンルの中でもさらに細かく分類されている。
当該小分類には、少なくとも一つ、好ましくは二以上のキーワードが含まれており、たとえば、「ポリス・アクション」には、「刑事ドラマ」、「銃撃戦」、「犯人追跡」「パトカー、カーチェイス」といったようなキーワードが含まれている。
このように階層的にジャンルをカテゴリごとに分類して整理することによって、キーワード群に含まれている多くのキーワードを体系的に記憶保管することができ、またユーザが容易に検索できるようにすることができる。
【００２１】
表示手段１５は、分類手段１４で所定のキーワードに基づいて大分類から小分類と階層的に分類した各ジャンルを、検索用のインデックス画面として、端末装置類１７のモニタ画面１６に表示させるように形成されている。
インデックス画面は、図２に示す大分類目次画面１５ａ、図３に示す中分類目次画面１５ｂ、図４に示す小分類目次画面１５ｃからなる。インデックス画面は、まず大分類目次画面１５ａから一の項目を指定すると、中分類目次画面１５ｂへ遷移するように形成されている。そして、中分類目次画面１５ｂから一の項目を指定すると、小分類目次画面１５ｃへ遷移するように形成されている。そして、小分類目次画面１５で一の項目を指定すると、当該小分類のカテゴリに含まれているキーワードに基づいて検索された視聴可能な動画一覧（図示略）が表示される。
このとき、動画一覧は、動画情報に基づいて、少なくともタイトルが表示され、好ましくは、サムネイル画像、あらすじ、上映時間等の情報を表示するようにしても良い。
なお、インデックス画面に含まれる大分類目次画面１５ａ、中分類目次画面１５ｂ、小分類目次画面１５ｃは、それぞれモニタ画面上で全体が表示される一覧表示としても良く、また含まれているジャンルが数件ずつハイライト表示されるスクロール画面であっても良い。さらには、一覧画面又はスクロール画面で指定した位置を部分拡大表示させるような画面であっても良い。
このように、動画一覧へ至るまで目次を大分類から小分類の階層的に表示するようにしたことによって、たとえば、テレビリモコンに設けられている「方向キー」と「決定キー」で各項目を順送りして決定したり、タブレット型端末装置ではモニタ画面１６上でインデックス画面又は動画一覧を指でスクロールさせて所定の項目をタップして指定したりといった極めて簡便な操作によって、目的の映画を探すことができる。
これにより、さらにユーザフレンドリーな検索用のインデックス画面を提供することができる。
【００２２】
また、分類手段１５で、カテゴリごとに分類されているキーワードは、所定の階層でキーワード群ごとに更新することができるように形成されている。たとえば上記の例で言うと、小分類「ポリス・アクション」内に含まれているキーワード群をまとめて更新するだけではなく、中分類「アクション」内で一括して、或いは大分類「映画」内で一括して更新することができる。このように各階層に相当するキーワード群を以下、キーワード群の小分類パッケージ、中分類パッケージ、大分類パッケージと言う。
各階層でキーワード群を更新可能としたことによって、たとえば、月に一度大分類パッケージを入れ替え、週に一度中分類パッケージを入れ替え、一日ごと、閲覧の多かった順番で小分類パッケージを入れ替えるといった使い方をすることができる。これによって、人気のある動画は小分類目次画面において、検索が容易な画面の上方へ上がり、あまり検索で使われないジャンルやキーワードは順位を下げたり、しばらく後に消去したりしてキーワード群内を整理することができる。
【００２３】
パッケージ毎に提供されるキーワード群は、外部記憶媒体に格納して、又は電気通信回線を通じてオンラインで提供され、検索テーブル１２ａ上でアップデートされるように形成されている。このとき、当該アップデートは、キーワード群の全入れ替えであっても良いし、新たにキーワードを追加する差分入れ替えであっても良い。キーワードのアップデートが行われた後は、検索手段１２が動画共有サーバ２０を検索し、照合手段１３で検証されて動画パスもまた更新される。
キーワードが格納される外部記憶媒体は、ハードディスクドライブ、フラッシュメモリ、又は光学ディスク或いはこれらに類するものである。なお、フラッシュメモリは、メモリカード、又はＵＳＢメモリが好ましい。
また、本実施例は、インターネット２１に接続している動画共有サーバ２０に記憶保管されている動画を視聴するものであることから、端末装置類１７はブロードバンドネットワークに常時接続していることが好ましい。この場合には、キーワード群を電気通信回線を通じてオンラインで提供して随時アップデートさせるようにしても良い。
【００２４】
上記の構成を有する動画再生コントローラー１０は、次に説明するように使用される。
動画再生コントローラー１０は、ＵＳＢメモリ等の外部記憶媒体に格納したプログラム又はインターネット２１等の電気通信回線を介してオンラインで伝送されるプログラムによって提供される。これによって、既設のインターネットテレビ、パソコン、スマートホンといった端末装置類１７にインストールすることができるので、容易に普及させることができる。
【００２５】
動画再生コントローラー１０がインストールされた端末装置類１７を、インターネットに接続すると、当該動画再生コントローラー１０は、インターネット上の動画共有サーバ２０にアクセスして、端末装置類１７を動画共有サーバ２０へ接続させる。
動画共有サーバ２０に動画再生コントローラー１０がアクセスしたとき、当該動画共有サーバ２０内の検索テーブル１２ａ上に配されているキーワードによって、動画共有サーバ２０内の検索が行われる。検索の結果、キーワードを含んでいる動画に係る動画情報が、照合テーブル１３ａ上で、キーワード及びキーワードが属するジャンルと合致しているか否か検証される。これにより、余分な動画、ジャンル違いの動画を省くことができ、より検索の精度を上げることができる。
照合テーブル１３ａで検証した結果、所定のキーワード及びジャンルに合致すると判断された動画に係る動画パスは、端末装置類１７の記憶媒体（図示略）に格納される。当該動画パスを用いて動画共有サーバ２０へアクセスすることによって、所定の動画へのアクセス速度を上げることができ、また容易に視聴することができる。
【００２６】
動画再生コントローラー１０がインストールされている端末装置類１７のモニタ画面１６上には、当該動画再生コントローラー１０に係るアイコンが表示される。当該アイコンをクリックする等して指定すると動画コントローラー１０が起動し、モニタ画面１６上には、インデックス画面が表示される。当該インデックス画面はまず、大分類目次画面１５ａが表示されるので、ユーザは表示されている大分類の中から、視聴を所望する動画が属すると思われるジャンルを指定する。これによって、次の中分類目次画面１５ｂに遷移する。
そして、中分類目次画面１５ｂから、所定の中分類ジャンルを指定すると、当該中分類ジャンル内に含まれている所定の小分類ジャンルが小分類目次画面１５ｃとして一覧表示される。当該小分類ジャンルの中から、所定のジャンルを指定すると、当該小分類ジャンルにカテゴリ分けされているキーワード群に含まれている各キーワードに基づいて予め検索された動画パスの一覧、すなわち、動画再生コントローラー１０から素早くアクセスできる動画の一覧が表示される。
ユーザが、動画一覧から視聴を所望する所定の動画を指定したとき、当該動画に係る動画パスに基づいて、動画再生コントローラー１０は動画共有サーバ２０に対して、動画パスに係る動画の配信を要求する。これに応答して、動画共有サーバ２０は端末装置類に対して所定の動画を配信する。これによって、ユーザは視聴を所望する所定の動画を容易に視聴することができる。
【００２７】
本実施例に係る動画再生コントローラー１０によれば、予め所定のキーワードを設定しておき、ユーザ自身の手によるキーワードのテキスト入力を省くようにした。これにより、パソコン等のようにキーボード入力装置が基本的には付いていないインターネットテレビのような端末装置類１７であっても、ユーザが視聴を所望する動画を容易に検索することができる。
また、キーワードを更新可能にすると共に、複数のキーワードからなるキーワード群をカテゴリ内の所定のジャンル毎に一括して更新可能にした。これによって、固定キーワードによってユーザが視聴可能な動画が硬直化されるのを防止することができ、たとえば、前日にもっとも動画共有サーバ２０内で検索に使用されたキーワードを反映させるといったように柔軟に対応させることができる。
一方、あえてキーワードを更新させずに、キーワードを固定し、所定の動画をユーザに繰り返し視聴させるようにしても良い。このような使い方は、たとえば企業主催の新製品発表会において、新製品の販促動画を大画面テレビで放映したり、博物館・美術館において展示品、作品の説明に係る動画を展示品脇に据え置いたタブレット型携帯端末装置で視聴させたりする場合が想定される。
【００２８】
また、本実施例に係る動画再生コントローラー１０によれば、所定のキーワードに係る動画以外の動画は、検索の結果に反映されない。これを利用して、動画共有サーバ内に記録保管されている動画のうち、子供に成人映画に関する動画を視聴させないようにしたり、ある企業内の広報ブースで競合他社の製品に係る動画を映し出さずに自社製品に係る動画のみ映し出したりといったフィルター的な使い方をすることもできる。
【００２９】
さらに、本実施例に係る動画再生コントローラー１０によれば、所定のキーワードを管理することによって、視聴できる動画を絞り込むことができ、上記のようにフィルター的な視聴制限をかけることができる。たとえば、ホテル・旅館、又は病院或いはこれらに類する滞在型施設類、または学校、さらに好ましくは家屋の構内に設けるローカルネットワーク（以下「ＬＡＮ」という）を利用して、インターネット２１に接続するローカルサーバと、当該ローカルサーバと接続する端末装置類１７からなる視聴システムにおいて、ローカルサーバに本実施例に係る動画再生コントローラー１０をインストールすることによって、当該ＬＡＮが設けられている施設の各部屋において視聴できる動画のジャンルをローカルサーバ側から積極的にコントロールすることができる。具体的には、ホテル等の滞在型施設の一室に未成年が宿泊する場合に、当該未成年が動画共有サーバ２０の動画を視聴するとき、成人映画の視聴を禁止するべく、キーワードを検索テーブル上から削除したり、学校で授業時間内にテレビを視聴する場合には教育系の動画のみ視聴できるように所定の時間帯のみ有効となるキーワードを検索テーブル１２ａ上に置くといったことである。これによって、ローカルサーバ側からＬＡＮに接続している端末装置類１７に対して積極的に再生可能な動画数をコントロールすることができる。
【符号の説明】
【００３０】
１０…動画再生コントローラー、
１１…アクセス手段、１２…検索手段、１２ａ…検索テーブル、１３…照合手段、１３ａ…照合テーブル、１４…分類手段、１５…表示手段、１５ａ…大分類目次画面、１５ｂ…中分類目次画面、１５ｃ…小分類目次画面、
１６…モニタ画面、１７…端末装置類、
２０…動画共有サーバ、２１…インターネット。
【図１】
2017016493.tif 000003
【図２】
2017016493.tif 000004
【図３】
2017016493.tif 000005
【図４】
2017016493.tif 000006